(57)【要約】【課題】定着装置と冷却装置の間に用紙搬送装置を設置する定着システムとして、定着後の用紙が用紙搬送装置の搬送部材に接触すること等により生じる温度差に起因した光沢むらが発生することを防止できる定着システム等を提供する。【解決手段】用紙に形成される未定着像を加熱して定着する定着装置（４）と、前記定着装置から排出される定着後の用紙を冷却する冷却装置（５）と、前記定着装置から排出される定着後の用紙を搬送部材（６２）に保持して前記冷却装置へ搬送する用紙搬送装置（６）と、前記定着装置で発生する熱を前記用紙搬送装置に伝える伝熱装置（７）とを有する。【選択図】図２
2010014804.tif 000002
【特許請求の範囲】
【請求項１】
用紙に形成される未定着像を加熱して定着する定着装置と、
前記定着装置から排出される定着後の用紙を冷却する冷却装置と、
前記定着装置から排出される定着後の用紙を搬送部材に保持して前記冷却装置へ搬送する用紙搬送装置と、
前記定着装置で発生する熱を前記用紙搬送装置に伝える伝熱装置と
を有することを特徴とする定着システム。
【請求項２】
前記定着装置が加熱された状態で回転する定着回転体を備えたものであり、
前記用紙搬送装置が搬送部材として回転する回転搬送部材を備えたものであり、
前記伝熱装置が、少なくとも前記定着装置の定着回転体に接触するとともに前記用紙搬送装置の回転搬送部材に接触する熱伝導部材を備えているものである請求項１に記載の定着システム。
【請求項３】
前記伝熱装置の熱伝導部材が、前記定着回転体又は回転搬送部材に接触して連れ回る回転体である請求項２に記載の定着システム。
【請求項４】
前記熱伝導部材の回転体が、無端ベルト又は中空構造のロールである請求項３に記載の定着システム。
【請求項５】
前記伝熱装置の熱伝導部材が、前記定着回転体及び回転搬送部材の一方又は双方に対して接離するように設けられている請求項２に記載の定着システム。
【請求項６】
前記伝熱装置の搬送部材の温度を検出する温度検出手段を設け、その温度検出手段の検出結果に応じて前記伝熱装置の伝熱動作を制御する請求項１〜５のいずれか１項に記載の定着システム。
【請求項７】
前記用紙搬送装置の搬送部材が、用紙の搬送方向と交差する方向に間隔をあけて並列の状態で配置されて回転する複数の搬送無端ベルトと、その各搬送無端ベルトの外周面に用紙を吸着させる吸引を行う吸引手段とで構成されている請求項１〜６のいずれか１項に記載の定着システム。
【請求項８】
用紙に未定着像を形成する作像装置と、請求項１〜７のいずれか１項に記載の定着システムとを有することを特徴とする画像形成装置。
【請求項９】
前記定着システムにおける前記伝熱装置の搬送部材の温度を検出する温度検出手段を設け、その温度検出手段により検出される温度が予め設定する温度に達した時点で前記作像装置の作像動作を許可する請求項８に記載の画像形成装置。
【発明の詳細な説明】
【技術分野】
【０００１】
この発明は、定着システム及び画像形成装置に関するものである。
【背景技術】
【０００２】
電子写真方式等を利用したプリンタ、複写機等の画像形成装置においては、トナー（粉体）からなる未定着の像（トナー像）を用紙に形成した後に定着装置を通してその未定着像を加熱して定着することにより画像の形成を行っているが、近年、その画像形成の高速化（単位時間当たりの画像形成枚数の増加傾向）が進んでいる。
【０００３】
このような画像形成装置では、その高速化の動向にともない、定着装置から排出される定着後の用紙（定着像を含む）が十分に冷やされることなく高温状態のままで画像形成装置本体の外部に排出されてしまうことがある。この結果、定着後の用紙が定着装置から排出された後に用紙搬送ロール（対）等に触れることにより、そのロールの接触した部分とそれ以外の部分との間で画像の光沢度に差（むら）が発生するという不具合がある。この他にも、定着後の用紙が排紙部などに順に積み重ねられて収容される際に、十分に冷やされていない定着像が接着剤の役割をすることでその積載された上下の用紙どうしが少し貼り付いた状態になるという不具合が発生することもある。
【０００４】
そこで、定着装置から排出される定着後の用紙を冷却する冷却装置を設け、その用紙を強制的に冷却するという対策が考えられる。
【０００５】
その１例としては、第一の定着部で加熱された転写材が、２セットのベルトユニットにおける加熱ローラで押圧されたベルト間に挟持・搬送され、そのベルトを張架する分離ローラへ搬送される過程で冷却手段により冷却される第二の定着部を有する画像形成装置が知られている（特許文献１）。なお、特許文献１に記載されている第二の定着部は、転写材を冷却するのみでなく、その冷却をする前に第一の定着部で加熱された転写材をさらに加熱する構成になっている。
【０００６】
しかし、定着装置の用紙排出側（用紙の搬送方向下流側）に冷却装置を設ける場合は、その両装置を接近した状態で設置すると、定着装置で発生して漏れ出る熱が冷却装置に伝わり、その影響で冷却装置が暖められてその冷却性能が低下してしまうおそれがある。
【０００７】
この不具合を避けるためには、冷却装置を定着装置から間隔をあけて配置するように構成することが有効であると考えられるが、この場合には、定着装置から排出される定着後の用紙を冷却装置まで搬送する用紙搬送装置を新たに設置することが必要になる。
【０００８】
このときの用紙搬送装置としては、例えば、定着像に触れず、定着後の用紙を冷却装置に対して確実に搬送することができる等の観点から、複数の搬送無端ベルトを用紙の搬送方向と交差する方向に間隔をあけて並列の状態で回転駆動するように配置し、その各無端ベルトの外周面に用紙を吸引して吸着させる、いわゆる吸引吸着式のベルト搬送装置が可能である。
【０００９】
【特許文献１】特開２００６−２０１６５７号公報
【発明の開示】
【発明が解決しようとする課題】
【００１０】
ところが、定着装置と冷却装置の間に用紙搬送装置を設置した場合には、次のような画質の低下が発生することがある。
【００１１】
例えば、画像形成装置の主電源を投入した直後の時期に、写真調画像等のような光沢感を有する画像の形成をすぐに開始した場合には、その開始後の所定枚数の用紙に形成される画像が、用紙が用紙搬送装置に接触した部分と接触しない部分との間で光沢度に差（むら）が生じた画質になる。具体的には、用紙搬送装置として前記したベルト搬送装置を適用した場合、その複数の各搬送無端ベルトに接触した用紙の部分はそれに接触しない部分に比べて温度が低下し、その温度差に対応したようなパターンの光沢度の差が発生する。また、その搬送無端ベルトに吸引用の通気孔が設けられている場合には、その通気孔に対応したようなパターンの光沢むらも発生する。このような光沢むらは、この他にも例えば、待機状態を経た後に開始される画像形成動作の初期の時期においても発生する。
【００１２】
この発明は、定着装置と冷却装置の間に用紙搬送装置を設置する定着システムとして、定着後の用紙が用紙搬送装置の搬送部材に接触すること等により生じる温度差に起因した光沢むらが発生することを防止できる定着システムを提供するとともに、定着システムを通過しても光沢むらが発生することのない良好な画質の画像を形成することができる画像形成装置を提供するものである。
【課題を解決するための手段】
【００１３】
この発明（Ａ１）の定着システムは、用紙に形成される未定着像を加熱して定着する定着装置と、前記定着装置から排出される定着後の用紙を冷却する冷却装置と、前記定着装置から排出される定着後の用紙を搬送部材に保持して前記冷却装置へ搬送する用紙搬送装置と、前記定着装置で発生する熱を前記用紙搬送装置に伝える伝熱装置とを有することを特徴とするものである。
【００１４】
この発明（Ａ２）の定着システムは、上記発明Ａ１の定着システムにおいて、前記定着装置が加熱された状態で回転する定着回転体を備えたものであり、前記用紙搬送装置が搬送部材として回転する回転搬送部材を備えたものであり、前記伝熱装置が、少なくとも前記定着装置の定着回転体に接触するとともに前記用紙搬送装置の回転搬送部材に接触する熱伝導部材を備えているものである。
【００１５】
この発明（Ａ３）の定着システムは、上記発明Ａ２の定着システムにおいて、前記伝熱装置の熱伝導部材が、前記定着回転体又は回転搬送部材に接触して連れ回る回転体であるものである。
【００１６】
この発明（Ａ４）の定着システムは、上記発明Ａ３の定着システムにおいて、前記熱伝導部材の回転体が、無端ベルト又は中空構造のロールであるものである。
【００１７】
この発明（Ａ５）の定着システムは、上記発明Ａ２の定着システムにおいて、前記伝熱装置の熱伝導部材が、前記定着回転体及び回転搬送部材の一方又は双方に対して接離するように設けられているものである。
【００１８】
この発明（Ａ６）の定着システムは、上記発明Ａ１〜Ａ５のいずれかの定着システムにおいて、前記伝熱装置の搬送部材の温度を検出する温度検出手段を設け、その温度検出手段の検出結果に応じて前記伝熱装置の伝熱動作を制御するものである。
【００１９】
この発明（Ａ７）の定着システムは、上記発明Ａ１〜Ａ６のいずれかの定着システムにおいて、前記用紙搬送装置の搬送部材が、用紙の搬送方向と交差する方向に間隔をあけて並列の状態で配置されて回転する複数の搬送無端ベルトと、その各搬送無端ベルトの外周面に用紙を吸着させる吸引を行う吸引手段とで構成されているものである。
【００２０】
この発明（Ｂ１）の画像形成装置は、用紙に未定着像を形成する作像装置と、上記発明Ａ１〜Ａ７のいずれかの定着システムとを有することを特徴とするものである。
【００２１】
この発明（Ｂ２）の画像形成装置は、上記発明Ｂ１の画像形成装置において、前記定着システムにおける前記伝熱装置の搬送部材の温度を検出する温度検出手段を設け、その温度検出手段により検出される温度が予め設定する温度に達した時点で前記作像装置の作像動作を許可するものである。
【発明の効果】
【００２２】
発明Ａ１の定着システムによれば、定着後の用紙が用紙搬送装置の搬送部材に接触すること等により生じる温度差に起因した光沢むらが発生することを防止できる。
【００２３】
発明Ａ２の定着システムでは、その構成を有しない場合に比べて、発明Ａ１の上記効果が得られることに加え、伝熱装置の用紙搬送装置に対する熱伝達による加熱を効率良く行うことができる。
【００２４】
発明Ａ３の定着システムでは、その構成を有しない場合に比べて、発明Ａ２の上記効果が得られることに加え、伝熱装置の用紙搬送装置に対する熱伝達による加熱を効率良くかつ簡易な構成で行うことができる。
【００２５】
発明Ａ４の定着システムでは、その構成を有しない場合に比べて、発明Ａ３の上記効果が得られることに加え、伝熱装置の用紙搬送装置に対する熱伝達による加熱を効率良くかつ簡易な構成で行うことができる。
【００２６】
発明Ａ５の定着システムでは、その構成を有しない場合に比べて、発明Ａ２の上記効果が得られることに加え、伝熱装置の用紙搬送装置に対する熱伝達による加熱動作を適切な時期に行うように調整することや、定着装置から必要以上に熱を奪うことがないようにすることができる。伝熱装置の熱伝導部材が回転体である場合には、その回転体が接触する定着装置の定着回転体と用紙搬送装置の回転搬送部材とを非接触時に異なる速度で回転させることが可能になる。
【００２７】
発明Ａ６の定着システムでは、その構成を有しない場合に比べて、発明Ａ１〜Ａ５の上記各効果が得られることに加え、伝熱装置による用紙搬送装置に対する熱伝達による加熱動作を必要な時期に適確に行うことができる。
【００２８】
発明Ａ７の定着システムでは、その構成を有しない場合に比べて、発明Ａ１〜Ａ６の上記各効果が得られることに加え、定着後の用紙の用紙搬送装置における搬送無端ベルトとの接触の有無により生じる温度差パターンに起因した光沢むらが発生することを防止できる。
【００２９】
発明Ｂ１の画像形成装置によれば、定着システムを通過しても光沢むらが発生することのない良好な画質の画像を形成することができる。
【００３０】
発明Ｂ２の画像形成装置では、その構成を有しない場合に比べて、発明Ｂ１の上記効果が得られることに加え、伝熱装置による用紙搬送装置に対する熱伝達による加熱動作を必要な時期に適確に行われ、これにより定着システムを通過しても光沢むらが発生することのない良好な画質の画像をより適確に形成することができる。
【発明を実施するための最良の形態】
【００３１】
＜実施形態１＞
図１及び図２は本発明の実施形態１に係る定着システム及び画像形成装置を示すものであり、図１はその画像形成装置の概要を示し、図２はその定着システムの概要を示す。
【００３２】
画像形成装置１は、カラープリンタとして構成されている。画像形成装置１は、図示しないその装置筐体の内部に、画像情報に基づくトナー像を形成した後に記録用紙に転写する作像装置２として、イエロー（Ｙ）、マゼンタ（Ｍ）、シアン（Ｃ）、ブラック（Ｋ）の４色のトナー像を専用に形成する４つの作像ユニット１０Ｙ，１０Ｍ，１０Ｃ，１０Ｋと、この各作像ユニット１０（Ｙ，Ｍ，Ｃ，Ｋ）で形成される各色のトナー像を一時的に中間転写ベルト２１に転写した後に用紙９に転写する二次転写位置まで搬送する中間転写ユニット２０とで構成されるものを配置している。また、その装置筐体の内部には、作像装置２の中間転写ユニット２０における二次転写位置に所定のサイズ等の用紙９を供給する給紙装置３０や、その二次転写位置で転写されたトナー像を用紙９に定着させる定着システム３や、画像形成装置全体の動作全般について総括的に制御するシステム制御装置１９などを配置している。
【００３３】
作像ユニット１０（Ｙ，Ｍ，Ｃ，Ｋ）は、そのいずれも電子写真方式（静電記録方式）を利用したものであり、ほぼ共通した構成になっている。各作像ユニット１０は、矢印の方向に回転駆動する円筒状の感光ドラム１２を備えており、この感光ドラム１２の周囲に、帯電装置１３、露光装置１４、現像装置１５、一次転写装置１６、クリーニング装置１７等が主に配置されている。
【００３４】
帯電装置１３は、感光ドラム１２の表面を所定の電位に帯電させるものであり、例えば接触式または非接触式の帯電装置が使用される。露光装置１４は、感光ドラム１２の帯電された表面に画像情報（信号）に基づく像光（点線）を照射して所定の電位差のある各色成分に対応した静電潜像を形成するものであり、例えばレーザ走査装置、ＬＥＤアレイ等が使用される。また、露光装置１４は、図示しない画像読取装置、パーソナルコンピュータ等の外部接続機器や記憶媒体読取装置から送信される画像情報が、装置本体内に設置された図示しない画像処理装置で所定の画像処理がされて各色成分に応じた画像信号として入力され、その画像信号に基づいて露光動作が行われる。
【００３５】
現像装置１５は、上記４色のいずれかの色の現像剤を専用に収容し、各感光ドラム１２上の静電潜像に対応した所定の色の現像剤（トナー成分）を静電的に付着させて現像することにより当該４色のいずれかの色の単色トナー像を形成する。現像剤としては、例えばトナーとキャリアを含む二成分現像剤、一成分現像剤等が使用される。一次転写装置１６は、感光ドラム１２に形成された未定着のトナー像を中間転写ベルト２１に静電的に転写するものであり、例えば接触式または非接触式の転写装置が使用される。クリーニング装置１７は、一次転写後の感光ドラム１２の表面を清掃するドラム用クリーニング装置であり、クリーニングブレード等を用いて構成される。
【００３６】
中間転写ユニット２０は、導電剤を含有させて所定の体積抵抗率に調製した樹脂フィルム製の無端ベルトからなる中間転写ベルト２１を、各作像ユニット１０（Ｙ，Ｍ，Ｃ，Ｋ）の感光ドラム１２と一次転写装置１６の間の一次転写位置を通過するように複数のロール２２〜２４に架け回して張架した状態で矢印の方向に回転駆動させるように構成されている。ロール２２は駆動ロール、ロール２３は中間転写ベルト２１に一定の張力を付与する張力付与（テンション）ロール、ロール２５は二次転写支持ロールである。また、二次転写支持ロール２５で支持される中間転写ベルト２１には、二次転写ベルト２６が配置されている。二次転写ベルト２６は、複数のロール２７ａ，２７ｂに張架された状態で矢印の方向に回転するものである。図中の符号２８は、二次転写後の中間転写ベルト２１を清掃するベルト用クリーニング装置である。
【００３７】
給紙装置３０は、所定サイズの複数枚の用紙９を積載した状態で収容する給紙カセット３１と、この給紙カセット３１から用紙９を１枚ずつ送り出す送出装置３２とで構成されている。また、給紙装置３は、送出装置３２から送り出される用紙９を二次転写位置（ロール２５で支持される中間転写ベルト２１と二次転写ベルト２６との間）まで搬送する用紙搬送路３５と接続されている。用紙搬送路３５は、複数の搬送ロール（符合３６は搬送時期調整ロール対）、ガイド部材等で形成されている。給紙カセット３１は、種々の用紙を使用した画像形成を可能にする等の観点から、必要に応じて複数配置される。用紙９としては、給紙装置３０や用紙搬送路３５の搬送が可能であってトナー像の転写が可能なものであれば特に制約されることがなく如何なる構成のものも使用可能であるが、写真調画像等の光沢感が要求される画像を形成する際には、例えば、熱可塑性樹脂からなる受像層が表面に塗布形成されたコート紙が適用される。
【００３８】
定着システム３は、図１〜図３に示すように、用紙９に形成される未定着のトナー像を加熱して定着する定着装置４と、定着後の用紙９を冷却する冷却装置５と、定着装置４から排出される定着後の用紙９を冷却装置５まで搬送する用紙搬送装置６と、定着装置４で発生する熱の一部を用紙搬送装置６に伝えてその用紙搬送装置６における搬送部材（無端ベルトなど）を加熱する伝熱装置７とで主に構成されている。
【００３９】
定着装置４は、用紙９の導入口および排出口が形成された筐体４１の内部に、加熱ランプ４２を有するとともに矢印の方向に回転駆動する加熱ロール４３と、この加熱ロール４３に所定の圧力で圧接して従動回転する（連れ回る）加圧ロール４４とが配置されている。加熱ロール４３は、そのロール表面の温度を計測した情報に基づいて加熱ランプ４２の通電動作を制御することにより所定の温度に加熱された状態に保持される。加圧ロール４４は、加熱ロール４３に接触して回転することにより、そのロール４４の表面が加熱ロール４３の熱を受けて加熱された状態になる。
【００４０】
また、定着装置４は、加熱ロール４３と加圧ロール４４の間の圧接部に定着対象の用紙９を導入して通過させることにより加熱及び加圧して定着を行うようになっている。図２中の符合４６は、定着対象の用紙９を加熱ロール４３と加圧ロール４４の圧接部用紙９の導き入れる導入用ガイド部材、４７はその圧接部から排出される定着後の用紙９を誘導する排出用ガイド部材である。筐体４１については、用紙搬送装置６の筐体６１と結合した状態で形成されている。
【００４１】
冷却装置５は、定着装置４から放出される熱により暖められるおそれのない程度の間隔をあけて定着装置４から離した状態で配置される。また、冷却装置５は、冷却用ベルト装置５２と用紙搬送ベルト装置５３とで構成されている。ちなみに、この実施形態１における冷却装置５は、冷却用ベルト装置５２と用紙搬送ベルト装置５３とを囲む筐体を設けていないが、必要であれば設けるようにしてもよい。
【００４２】
冷却用ベルト装置５２は、用紙９の最大送り幅よりも広い幅からなる冷却無端ベルト５４を、複数（本例では４本）のロール５５ａ〜ｄに架け回されて張架された状態で矢印の方向に回転駆動するように配置するとともに、その却無端ベルト５４の第一ロール５５ａと第二ロール（分離ロール）５５ｂとの間で保持される内周面部分に接触して放熱する放熱部材（ヒートシンクなど）５６を配置したものである。このベルト装置５２ではロール５５ｂが駆動ロールである。冷却無端ベルト５４としては、合成樹脂フィルム等の材料を用いて形成される無端ベルトが使用される。放熱部材５６は、図示しない吸気ファンと接続された排気ダクトを併設し、放出される熱気を装置の外部に排出して冷却効果を高めるように構成されている。
【００４３】
用紙搬送ベルト装置５３は、冷却対象である定着後の用紙９を、冷却無端ベルト５４の第一ロール５５ａと第二ロール５５ｂとの間で平面状に張架保持されて放熱部材５６により放熱させる外周面部分（冷却領域）に密着させた状態で通過させるように搬送するものである。用紙搬送ベルト装置５３は、搬送無端ベルト５７を複数（本例では４本）のロール５８ａ〜ｄに架け回して張架し、矢印の方向に前記冷却無端ベルト５４の回転速度と同じ速度で回転駆動させるものであり、その搬送無端ベルト５７のうち第一ロール５８ａと第二ロール５５ｂとの間で平面状に張架されている外周面部分を、冷却用ベルト装置５２における冷却無端ベルト５４の冷却領域の外周面部分に接触させた状態に配置している。このベルト装置５３ではロール５８ｂが駆動ロールである。この用紙搬送ベルト装置５３の第一ロール５８ａに支持される搬送無端ベルト５７の上面部分が、冷却装置５の用紙導入部になる。
【００４４】
用紙搬送装置６は、定着装置４と冷却装置５との間に位置するように配置されるものであり、この用紙９の搬送方向Ａと交差する方向（例えば８５°〜９５°の角度でほぼ直交する方向）に間隔をあけて並列の状態で配置されて回転駆動する複数（この例では３つ）の搬送無端ベルト６２Ａ〜Ｃと、その各搬送無端ベルト６２の外周面に用紙９を吸着させる吸引を行う吸引装置６５とで構成されている。
【００４５】
各搬送無端ベルト６２Ａ〜Ｃは、画像形成に使用される各サイズの用紙９のいずれであっても良好に搬送できる状態になるよう配置されており、そのいずれも複数（この例では２本）のロール６３ａ，６３ｂに架け回されて張架された状態で矢印の方向に回転駆動するようになっている。ロール６３ｂが駆動ロールである。各搬送無端ベルト６２Ａ〜Ｃは、その全域にわたって複数の吸気用貫通孔６４がほぼ均一に分布するように形成されている。各搬送無端ベルト６２Ａ〜Ｃは、その第一ロール６３ａに支持される上面部分が定着装置４の排出用ガイド部材４７の終端部とほぼ同じ高さとなり、その第二ロール６３ｂに支持される上面部分が冷却装置５の用紙導入部とほぼ同じ高さとなるように配置されている。
【００４６】
吸引装置６５は、図３に示すように、吸気ファン６５ａと接続された吸気ダクト６５ｂを各搬送無端ベルト６２の上側に位置する内周面に接触させた状態に設置するとともに、そのダクト６５ｂのベルト内周面側の部分に形成された複数の吸気口を形成している。この吸気装置６５は、そのダクト６５ｂの複数の吸気口からベルトの吸気用貫通孔及び隣り合うベルトどうしの隙間を通して吸気することにより、用紙９を各搬送無端ベルト６２の上側の外周面に吸引して吸着させるようになっている。
【００４７】
用紙搬送装置６は、その搬送無端ベルト６２と吸引装置６５を囲む筐体６１が設けられている（図１）。この実施形態における筐体６１は、定着装置１の筐体４１と結合された状態で形成されており、また伝熱装置７も併せて囲むように形成されている。
【００４８】
伝熱装置７は、熱を伝えるための１つの伝熱ロール７０を用いて構成されている。
【００４９】
この伝熱装置７では、伝熱ロール７０を、定着装置４における加圧ロール４４の回転軸方向に沿う表面の定着有効領域の全域にわたって接触させると同時に、用紙搬送装置６における各搬送無端ベルト６２Ａ〜Ｃのうち第一ロール６３ａに支持されている部分にそれぞれ接触させた状態に配置し、その伝熱ロール７０が接触する加圧ロール４４及び各搬送無端ベルト６２Ａ〜Ｃの回転力を受けて従動回転するように支持している。ちなみに、この伝熱ロール７０を設置する場合には、加圧ロール４４（実際には加熱ロール４３）と搬送無端ベルト６２とを同じ速度で回転させるように構成する必要がある。
【００５０】
伝熱ロール７０は、アルミニウム等の熱伝導率が高い金属材料を用いて中空構造の円筒ロールとして形成されている。この円筒状のロール７０は、その両端部の開口を塞いだ構造になっている。
【００５１】
画像形成装置１では、上記４色（Ｙ，Ｍ，Ｃ，Ｋ）のトナー像を組み合わせて構成されるフルカラー画像を形成することができるほか、黒（Ｋ）色のトナー像のみで構成される白黒画像などを形成することができる。また、画像形成装置１を構成する上記した各装置等の動作は、システム制御装置１９で把握され、必要により各装置単位の制御装置により制御される。また、システム制御装置１９は、図示しない操作パネルからの入力情報や前記した接続機器からの通信情報に基づいて、画像形成動作の設定条件や開始及び停止などの指示に対して所要のプログラム及びデータに応じた必要な制御動作を実行する。
【００５２】
次に、上記した定着システム３を有する画像形成装置１の基本的な画像形成（プリント）動作について説明する。
【００５３】
ここでは、フルカラー画像を形成するモードが選択された場合を例にして説明する。そのフルカラー画像モードの指示情報は、システム制御装置１９において把握される。
【００５４】
フルカラー画像の形成時には、はじめに作像装置２における各作像ユニット１０（Ｙ，Ｍ，Ｃ，Ｋ）で前記４色のトナー像が個々に形成され、その各トナー像が中間転写ユニット２０に転写される。
【００５５】
まず、各作像ユニット１０では、帯電装置１３が回転始動する感光ドラム１２の表面を所定の電位に帯電し、露光装置１４がその感光ドラム１２の帯電された表面に露光をして各色成分に応じた静電潜像を形成し、しかる後、現像装置１５が感光ドラム１２の静電潜像部分に対応する色のトナーを静電付着させて現像することにより各色（Ｙ，Ｍ，Ｃ，Ｋ）のトナー像を形成する。続いて、各一次転写装置１６が各感光ドラム１２に形成されたトナー像を、各感光ドラム１２と一次転写装置１６がそれぞれ対向する各一次転写位置において中間転写ユニット２０の中間転写ベルト２１に対し重ね合せるように次々と静電転写する。中間転写ユニット２０では、中間転写ベルト２１に転写されたトナー像を二次転写ベルト２６（第一ロール２７ａに支持されているベルト部分）と対向する二次転写位置まで搬送する。
【００５６】
一方、このトナー像の形成動作の時期に合わせるようにして給紙装置３では、画像形成の設定条件に応じて選定される用紙９を、その収容されている給紙カセット３１から送出装置３２により１枚ずつ送り出し、用紙搬送路３５を経由して所定のタイミングで二次転写位置に送り込むように供給する。二次転写位置では、二次転写ベルト２６が供給された用紙９に対して中間転写ベルト２１上のトナー像を一括して静電転写する。
【００５７】
続いて、二次転写ベルト２６が、未定着のトナー像が転写された用紙９を定着システム３の定着装置４に導入するように搬送する。
【００５８】
定着装置４では、この画像形成に先立って加熱ロール４３が加熱ランプ４３により所定の温度（定着温度）まで加熱されて回転した状態に保持されており、その搬送された定着対象の用紙９を導入用ガイド部材４６で案内して加熱ロール４３と加圧ロール４４の間の圧接部に導入する。この圧接部を通過させる際に、用紙９と未定着のトナー像とを加熱及び加圧することにより、そのトナー像を溶融させて用紙９に定着する。
【００５９】
続いて、用紙搬送装置６が、定着装置４の排出用ガイド部材４７で案内されて排出された定着後の用紙９を、吸引装置６５で吸引された状態で回転する搬送無端ベルト６２Ａ〜Ｃの表面に吸引吸着させて冷却装置６に導入するように搬送する。
【００６０】
冷却装置６では、用紙搬送装置６により搬送された定着後の用紙９を、冷却用ベルト装置５２と用紙搬送ベルト装置５３との間の用紙導入部において、回転する冷却無端ベルト５４及び搬送無端ベルト５７との間である冷却領域に導き入れる。しかる後、冷却用ベルト装置５２と用紙搬送ベルト装置５３は、その回転する冷却無端ベルト５４及び搬送無端ベルト５７とが協働して用紙９をその上下から挟んだ状態で搬送する。そして、冷却用ベルト装置５２側の放熱部材５６を通過させる際に、用紙９及びトナー像が有する熱を冷却無端ベルト５４を通して放熱部材５６側に伝えて放出させ、これにより、その定着後の用紙９及びトナー像を冷却する。
【００６１】
冷却装置６は、冷却した後の用紙９を、第二ロールである分離ロール５５ｂ及び分離ロール５８ｂを通過する際に冷却無端ベルト５４及び搬送無端ベルト５７からそれぞれ分離させて排出する。
【００６２】
この冷却装置６から排出された用紙９は、図示しない排出ロール等により所定の排出収容部に搬送されて収容される。以上のプロセスにより、１枚の用紙９上には上記４色のトナー像から構成されるフルカラー画像が形成される。
【００６３】
そして、この画像形成装置１にあっては、特に定着システム３において、定着装置４の加熱ロール４３が少なくとも加熱ランプ４２で加熱されている時期に、伝熱装置７が用紙搬送装置６の搬送無端ベルト６２を加熱する。
【００６４】
つまり、伝熱装置７の伝熱ロール７０が、加熱された状態にある加熱ロール４３に接触して加熱される加圧ロール４４の表面と搬送無端ベルト６２の表面とに、同時に接触した状態で従動回転している。このため、その伝熱ロール７０は、加熱された状態にある加圧ロール４４の表面に接触していることにより加熱されるとともに、その加熱されたロール部分が回転により移動して搬送無端ベルト６２の外周面に接触することにより、加圧ロール４４から得た熱を無端ベルト６２に伝えてその無端ベルト６２を加熱する。
【００６５】
この際、伝熱ロール７０は、熱伝導率が高い金属材料からなる中空構造の円筒ロールであるため、その熱容量が小さくなり、加圧ロール４４の表面に接触したときに無駄がなく素早く加熱され、その得られた熱を搬送無端ベルト６２の表面に伝えることができる。また、この伝熱ロール７０による搬送無端ベルト６２の加熱は、その無端ベルト６２の表面温度が加圧ロール４４の表面温度よりも相対的に低い状態にある間は続行される。
【００６６】
従って、用紙搬送装置６の搬送無端ベルト６２が加熱された状態に保たれているので、定着装置４で定着されて高温の状態にある用紙９が用紙搬送装置６により搬送される際に、その用紙９において搬送無端ベルト６３に接触する部分とそれに接触しない部分との間で大きな温度差を生じることが解消される。この結果、例えば、熱可塑性樹脂からなる受像層が形成されたコート紙の用紙９を用いて光沢のある画像を形成する場合であっても、その形成される画像において上記温度差に起因したパターンからなる光沢むらが発生することが防止される。
【００６７】
図４は、画像形成装置の動作時間に対する搬送無端ベルトの表面温度を測定した結果を示すものである。また、図４には、この測定において画像形成装置で形成した画像に光沢（グロス）ムラが発生したときの上限温度を併せて示している。
【００６８】
図４に示す結果の測定は、画像形成装置１の電源投入時から画像形成動作を続けて行い、このときの用紙搬送装置６における搬送無端ベルト６２の表面温度を計測し続けたものである。この測定は、伝熱装置７の伝熱ロール７０を設置した場合とそれを設置しない場合とに分けて行った。画像形成については、光沢のあるテスト画像（例えば用紙の片面全域がトナーで覆われる構成の画像：ベタ画像）を複数枚の用紙（前記受像層を形成したコート紙）９に連続して形成する条件で行った。また、画像形成装置１は、電源が投入されると、定着装置４の加熱ロール４３が加熱されながら回転し始め、その加熱ロール４３の表面温度が定着に必要な温度まで加熱された後に画像形成動作が許可されて開始される設定になっている。
【００６９】
そして、このときに得られる各画像について当該ベルト６２との接触の有無に対応したパターンの光沢むらの発生の状況を調べるとともに、その光沢むらが発生したときの上限（最高）温度を確認した。光沢むらの発生の状況については、得られた画像の複数の箇所をグロスメータで光沢度を測定した結果に基づいて調べた。
【００７０】
光沢むらは、その上限温度以下の温度範囲で発生しやすく、その上限温度を超えた温度範囲では発生しなかった。この測定で発生した光沢むらは、得られた用紙９の画像面のうち搬送装置６の搬送無端ベルト６２Ａ〜Ｃの表面に接触した部分と、その各ベルトの表面に接触しない部分（各無端ベルト６２の吸気用貫通孔６４と対峙してベルト面に接触しない部分を含む）との間で光沢の差として視認されるものであった。なお、図４におけるＴ１，Ｔ２は、伝熱ロール７０がある場合とそれがない場合において、搬送無端ベルト６２の表面温度が光沢むらの発生する上限温度に達したときの動作時間を示すものである。また、Ｔ３は上記した試験用の画像形成動作が開始された時点を概略示すものである。
【００７１】
＜実施形態２＞
図５は、本発明の実施形態２に係る定着システムの概要を示すものである。
【００７２】
実施形態２に係る定着システム３は、伝熱装置７として、伝熱ベルト７１を用いて構成したものを適用して変更した以外は実施形態１の定着システム３と同じ構成からなるものである。このため、実施形態１の場合と共通する構成部分には同じ符合を付し、その説明を必要な場合を除き省略する（この点、これ以降の他の実施形態でも同じとする）。
【００７３】
伝熱装置７は、伝熱ベルト７１を複数（本例では２本）のロール７２ａ〜ｂに架け回して張架し、回転し得る状態に支持している。また、その伝熱ベルト７１について、実施形態１における伝熱ロール７０の場合と同様に、その第一ロール７２ａに支持されているベルト部分を定着装置４における加圧ロール４４の表面に接触させると同時に、その第二ロール７２ｂに支持されている側のベルト部分を用紙搬送装置６における各搬送無端ベルト６２Ａ〜Ｃの第二ロール７２ｂに支持されている部分を含む下側外周面領域の一部にそれぞれ接触させた状態に配置し、その伝熱ベルト７１がその加圧ロール４４又は各搬送無端ベルト６２Ａ〜Ｃの回転力を受けて従動回転するように支持している。
【００７４】
伝熱ベルト７１は、アルミニウム等の熱伝導率が高い金属材料を用いた無端ベルトとして形成されている。伝熱ベルト７１は、加圧ロール４４の軸方向における定着有効領域の幅よりも少し広いベルト幅で形成されている。また、伝熱ベルト７１を支持するロール７２については、伝熱ベルト７１の熱をできるだけ奪わないようにする等の観点から、合成樹脂等の材料を用いて形成されている。
【００７５】
そして、この実施形態２に係る定着システム３においても、定着装置４の加熱ロール４３が少なくとも加熱ランプ４２で加熱されている時期に、伝熱装置７の伝熱ベルト７１が用紙搬送装置６の搬送無端ベルト６２を加熱する。
【００７６】
この定着システム３では、基本的に実施形態１における伝熱ロール７０の場合と同様にして、その伝熱ベルト７１が、加熱状態にある加熱ロール４３に接触して加熱されている加圧ロール４４の表面に接触して加熱され、その加熱されたベルト部分が回転により移動して搬送無端ベルト６２の外周面に接触することにより、その加圧ロール４４から得られた熱を搬送無端ベルト６２に伝えてその無端ベルト６２を加熱する。
【００７７】
これにより、定着装置４で定着されて高温状態にある用紙９が用紙搬送装置６により搬送される際に、その用紙９において搬送無端ベルト６２に接触する部分とそれに接触しない部分との間で大きな温度差を生じることが解消される。この結果、例えば熱可塑性樹脂からなる受像層が形成されたコート紙の用紙９を用いて光沢のある画像を形成した場合であっても、その形成される画像において上記温度差に起因したパターンからなる画像の光沢むらが発生することが防止される。
【００７８】
＜実施形態３＞
図６は、本発明の実施形態３に係る定着システムの概要を示すものである。
【００７９】
実施形態３に係る定着システム３は、用紙搬送装置６における各搬送無端ベルト６２Ａ〜Ｃの表面温度を検出する温度センサ７３を設けるともに、その温度センサ７３の検出情報を利用して作像装置２の動作の開始を許可するように構成して変更した以外は実施形態１に係る定着システム３（及び画像形成装置１）と同じ構成からなるものである。
【００８０】
温度センサ７３は、各搬送無端ベルト６２Ａ〜Ｃのうち用紙搬送方向Ａの上流側に配置される第一ロール６３ａに支持された外周面部分又はその前後部分の表面温度を計測するようにそのベルト外周面とは非接触の状態で設置されている。温度センサ７３は、複数の搬送無端ベルト６２の少なくとも１つに対して配置して測定を行うようにしてもよい。また、温度センサ７３は、その検出された情報が画像形成装置１のシステム制御装置１９に入力されるように接続されている。図６中の符合４５は加圧ロール４４の表面温度を検出する温度センサを示す。この温度センサ４５の検出温度は、定着温度の制御動作のための情報として使用される。
【００８１】
システム制御装置１９では、温度センサ７３で検出される温度が予め設定する温度に達した（又は超えた）か否かを判断し、その設定温度に達した（又は超えた）時点で作像装置２による作像動作を許可するという制御動作を実行する。その設定温度としては、搬送無端ベルト６２の外周面に接触する定着後の用紙９に画像の光沢むらが発生しないことを保証できる温度に設定すればよく、例えば、前記したような光沢むらの発生する上限温度などが挙げられる。
【００８２】
そして、この実施形態３に係る定着システム３においても、定着装置４の加熱ロール４３が少なくとも加熱ランプ４２で加熱されている時期に、実施形態１の場合と同様に、用紙搬送装置６の搬送無端ベルト６２が伝熱装置７の伝熱ロール７０によって加熱される。この際、その搬送無端ベルト６２の外周面温度が温度センサ７３で計測されるが、その計測している温度が予め設定する温度に達すると、システム制御装置１９において画像形成装置１の作像装置２による作像動作が許可（開始可能な状態）される。
【００８３】
これにより、その許可された画像形成動作が実行されて定着装置４で定着された高温の状態にある用紙９が、用紙搬送装置６の搬送無端ベルト６２により搬送される際に、その搬送無端ベルト６２の外周面が十分に加熱された状態にあるので、その無端ベルト６２に接触した部分とそれに接触しない部分との間で大きな温度差を生じることがなくなる。この結果、例えば熱可塑性樹脂からなる受像層が形成されたコート紙の用紙９を用いて光沢のある画像を形成する場合であっても、搬送無端ベルト６２の外周面が十分に加熱されたことを実際に確認した後に画像形成動作が開始されることになるので、その形成される画像において上記温度差に起因したパターンからなる光沢むらが発生することが適確に防止される。
【００８４】
また、この画像形成装置１では、前述したように用紙搬送装置６の搬送無端ベルト６２が伝熱装置７の伝熱ロール７０によって加熱されるので、例えば図４に示すように、電源を投入してから最初の（光沢むらの発生のおそれがない）画像形成動作が開始されるまでに必要な所要時間が、伝熱装置７による加熱がない場合（伝熱ロールなしの場合）に比べて短縮される。
【００８５】
＜実施形態４＞
図７は、本発明の実施形態４に係る定着システムの概要を示すものである。
【００８６】
実施形態４に係る定着システム３は、伝熱装置７として、伝熱ロール７０を加圧ロール４４及び搬送無端ベルト６２に対して接離するように設けて変更した以外は実施形態１の定着システム３と同じ構成からなるものである。
【００８７】
伝熱装置７は、その伝熱ロール７０を、定着装置４の加圧ロール４４と用紙搬送装置６の各搬送無端ベルト６２Ａ〜Ｃとに対して接離するように図中の矢印で示す方向に変位可能な状態で設けている。伝熱ロール７０を変位させる変位装置７４としては、例えば、伝熱ロール７０を支持する支持フレームを例えば矢印で示す方向に移動するように取り付け、その支持フレームを電磁ソレノイド、カム機構等の装置の動力を利用して動かす仕組みが使用される。
【００８８】
変位装置７４は、用紙搬送装置６の各搬送無端ベルト６２を加熱する必要のある時期（電源投入後のウォームアップ時、画像形成動作が一定の時間以上行われない待機時など）に伝熱ロール７０を接触させる位置まで変位させように動作し、その各搬送無端ベルト６２の加熱が不要な時期（例えば画像形成動作の実行時など）に伝熱ロール７０から離す位置に変位させるように動作する。変位装置７４の動作の制御は、電源投入情報や、経過時間の情報や、画像形成動作の開始指令情報、画像形成枚数の情報等に基づいて行われる。
【００８９】
そして、この実施形態４に係る定着システム３においても、定着装置４の加熱ロール４３が少なくとも加熱ランプ４２で加熱されている時期であって、変位装置７４により伝熱装置７の伝熱ロール７０が加圧ロール４４と搬送無端ベルト６２に接触する位置に変位しているときには、実施形態１の場合と同様に、伝熱装置７の伝熱ロール７０が用紙搬送装置６の搬送無端ベルト６２を加熱する。
【００９０】
これにより、定着装置４で定着されて高温状態にある用紙９が用紙搬送装置６により搬送される際に、その搬送無端ベルト６２に接触した部分とそれに接触しない部分との間で大きな温度差を生じることが解消され、光沢が要求される画像形成時においては、かかる温度差に起因したパターンからなる光沢むらが発生することが防止される。
【００９１】
一方、この定着システム３では、変位装置７４により伝熱装置７の伝熱ロール７０が加圧ロール４４と搬送無端ベルト６２とから離間する位置に変位しているときには、伝熱装置７の伝熱ロール７０による搬送無端ベルト６２の加熱が行われない。
【００９２】
これにより、搬送無端ベルト６２の外周面の温度が光沢むらを発生させない温度まで加熱された状態にあれば、伝熱装置７の伝熱ロール７０による加熱動作が不要であるため合理的である。また、伝熱装置７によって加圧ロール４４の表面の熱が必要以上に奪われることがないので、定着装置４において画像形成時の定着動作に必要な温度状態に保持させやすくなり（加熱ロール４３の余分な加熱動作が不要になり）、温度不足に起因した定着不良の発生が防止される。
【００９３】
この実施形態４に係る定着システム３においては、例えば、画像形成動作が実行されるときに、定着装置４の加熱ロール４３の回転速度：Ｖ１と用紙搬送装置６の搬送無端ベルト６２の回転速度：Ｖ２とが異なっている関係に設定されている場合、変位装置７４により伝熱ロール７０を加圧ロール４４と搬送無端ベルト６２に接触する位置に変位させるに先立って、その各回転速度Ｖ１，Ｖ２が同じ関係（Ｖ１＝Ｖ２）になるよう制御する。これにより、伝熱ロール７０が加圧ロール４４及び搬送無端ベルト６２の各表面に同時に接触するときに生じる２つの接触地点との間での速度差による不整合を回避することができる。
【００９４】
＜実施形態５＞
図８は、本発明の実施形態５に係る定着システムの概要を示すものである。
【００９５】
実施形態５に係る定着システム３は、定着装置４として加圧ロール４４が加熱ロール４３に対して接離するように設けたものを適用するとともに、伝熱装置７として伝熱ロール７０が搬送無端ベルト６２に接触し続けるように設けたものを適用し、その加圧ロール４４を加熱ロール４３から離したときには伝熱ロール７０に接触させるように設けた以外は実施形態１の定着システム３と同じ構成からなるものである。
【００９６】
伝熱装置７は、その伝熱ロール７０を、用紙搬送装置６の各搬送無端ベルト６２Ａ〜Ｃの外周部分にだけ接触する状態（加圧ロール４４には接触しない状態）に保持するように設けている。
【００９７】
一方、定着装置４は、その加圧ロール４４を加熱ロール４３に対して接離するように変位可能な状態で設けているとともに、その加圧ロール４４を加熱ロール４３から離すときには伝熱ロール７０の表面に接触させるように設けている。つまり、加圧ロール４４が加熱ロール４３及び伝熱ロール７０のいずれか一方に接触するように変位する状態で設けられている。加熱ロール４３は、そのロール４３から加圧ロール４４が離れている間も、加熱ランプ４２により必要な温度に加熱されて保持されるように設定されている。加圧ロール４４を変位させる変位装置４８としては、例えば、加圧ロール４４が支持される支持フレームを加熱ロール４３と伝熱ロール７０の間において矢印で示す方向に移動するように取り付け、その支持フレームを電磁ソレノイド、カム機構等の装置の動力を利用して動かす仕組みが使用される。
【００９８】
変位装置４８は、画像形成動作を行う時期に加圧ロール４４を加熱ロール４３に接触させる位置まで変位させるように動作し、その画像形成動作をしない非画像形成時（電源投入後のウォームアップ時、画像形成動作が一定の時間以上行われない待機時など）に加圧ロール４４を加熱ロール４３から離間させるとともに伝熱ロール７０に接触させる位置に変位させるように動作する。また、変位装置４８は、その非画像形成時に、加圧ロール４４を加熱ロール４３と伝熱ロール７０に対し所定の時間をおいて交互に接触させる位置に変位させるように動作する。
【００９９】
そして、この実施形態５に係る定着システム３においては、電源投入後のウォームアップ時や画像形成動作間の待機時の時期に、定着装置４の加熱ロール４３が少なくとも加熱ランプ４２で加熱された状態にあって加圧ロール４４もその加熱ロール４３との接触により加熱された後に、その加熱された状態の加圧ロール４４が加熱ロール４３から離れて伝熱ロール７０に接触する位置に変位しているときには、伝熱装置７の伝熱ロール７０が用紙搬送装置６の搬送無端ベルト６２を加熱する。
【０１００】
つまり、伝熱装置７の伝熱ロール７０は、加熱された状態の加圧ロール４４が接触した状態になると同時に、搬送無端ベルト６２の表面に接触した状態で従動回転する。このため、その伝熱ロール７０は、加熱された状態にある加圧ロール４４の表面に接触することにより加熱されるとともに、その加熱されたロール部分が回転により移動して搬送無端ベルト６２の外周面に接触することにより、加圧ロール４４から得た熱を無端ベルト６２に伝えてその無端ベルト６２を加熱することになる。
【０１０１】
この際、加圧ロール４４は、伝熱ロール７０に接触すると、その伝熱ロール７０が搬送無端ベルト６２に接触して従動回転することで有する回転動力を受けて従動回転するので、その加熱ロール４４の外周面に蓄えられた熱が伝熱ロール７７に伝えられる。また、加圧ロール４４は、所定の時間が経過すると、加熱された状態にある加熱ロール４３に再び接触する位置に変位し、更に所定の時間が経過した後に加熱ロール４３から離れて伝熱ロール７０に再接触するので、温度が低下した加圧ロール４４及び伝熱ロール７０が再び加熱され、搬送無端ベルト６２を加熱するための熱を蓄えることになる。
【０１０２】
これにより、そのウォームアップ完了後や待機時期終了後に画像形成動作が開始された場合であっても、その画像形成動作において定着装置４で定着されて高温状態にある用紙９が用紙搬送装置６により搬送される際に、その用紙９において搬送無端ベルト６２に接触した部分とそれに接触しない部分との間で大きな温度差を生じることが解消される。このため、光沢が要求される画像形成時においては、かかる温度差に起因したパターンからなる光沢むらが発生することが防止される。ちなみに、この画像形成時には、加圧ロール４４は加熱ロール４３に接触する位置に変位しており、伝熱ロール７０による搬送無端ベルト６２の加熱が行われない。
【０１０３】
また、この定着システム３では、加圧ロール４４が加熱ロール４３と伝熱ロール７０の一方に接触するときに従動回転するように構成している。このため、定着装置４の加熱ロール４３の回転速度Ｖ１と用紙搬送装置６の搬送無端ベルト６２の回転速度Ｖ２が異なった関係に設定されている場合でも、例えば実施形態４における定着システム３を適用した場合のように、その双方の回転速度Ｖ１，Ｖ２が同じ関係（Ｖ１＝Ｖ２）になるように調整する制御動作を行うことが不要となる。ただし、加圧ロール４４については、加熱ロール４３から離間させた状態においてモータ等の駆動源からの動力を利用して回転駆動するように構成しても差し支えない。
【０１０４】
＜実施形態６＞
図９は、本発明の実施形態６に係る定着システムの概要を示すものである。
【０１０５】
実施形態６に係る定着システム３は、伝熱装置７として、非接触式の伝熱装置を適用して変更した以外は実施形態１の定着システム３と同じ構成からなるものである。
【０１０６】
伝熱装置７は、定着装置６の加圧ロール４４と用紙搬送装置６の搬送無端ベルト６２Ａ〜Ｃとに接近して対向した状態（非接触の状態）で配置される伝熱板７５と、伝熱板７５の裏面（加圧ロール４４や無端ベルト６２と対向する側と反対側の面）に取り付ける複数のヒートパイプ７６とで構成されている。
【０１０７】
伝熱板７５は、加圧ロール４４の軸方向における定着有効領域の外周面に対し所定の間隔をあけて対向させる曲面状のロール対向部分７５ａと、そのロール対向部分６５ａの一端部と連続し、搬送無端ベルト６２Ａ〜Ｃの下側外周面に対し所定の間隔をあけて対向させる平面状のベルト対向部分７５ｂとを有する形状のものである。この伝熱板７５は、アルミニウム等の熱伝導率が高い金属材料を用いて形成されている。ヒートパイプ７６は、伝熱板７５のロール対向部分７５ａからベルト対向部分７５ｂまでに延びる長さのヒートパイプが使用され、それを所定の本数（この例では３本）だけ間隔をあけて並列の状態で伝熱板７５の裏面に取り付けられる。ヒートパイプ７６の伝熱板７５への取付けは、ブレージング等の接合方法や、カシメ等の手段により行っている。伝熱板７５の加圧ロール４４や搬送無端ベルト６２との間隔は、例えば、数ｍｍから１ｃｍ程度の値にする。
【０１０８】
そして、この実施形態６に係る定着システム３においても、定着装置４の加熱ロール４３が少なくとも加熱ランプ４２で加熱されている時期に、伝熱装置７の伝熱板７５が用紙搬送装置６の搬送無端ベルト６２を加熱する。
【０１０９】
つまり、伝熱装置７の伝熱板７５は、加熱された状態にある加熱ロール４３に接触して加熱される加圧ロール４４の表面と搬送無端ベルト６２の表面とにそれぞれ接近して対向した状態で配置されている。このため、伝熱板７５は、そのロール対向部分７５ａが、加熱状態にある加圧ロール４４から放出される熱（輻射熱を含む）や定着装置４の筐体４１の内部に存在する熱気の熱により加熱されるとともに、その得られた熱がベルト対向部分７５ｂの側に伝わってベルト対向部分７５ｂが加熱されるので、その伝えられた熱がベルト対向部分７５ｂと対向する搬送無端ベルト６２の外周面を加熱することになる。
【０１１０】
この際、伝熱板７５の裏面には、複数のヒートパイプ７６が取り付けられているので、ロール対向部分７５ａで加圧ロール４４から得られた熱がそのヒートパイプ７６を通してベルト対向部分７５ｂ側に効率よくすばやく伝えられる。
【０１１１】
これにより、定着装置４で定着されて高温状態にある用紙９が用紙搬送装置６により搬送される際に、その用紙９において搬送無端ベルト６２に接触する部分とそれに接触しない部分との間で大きな温度差を生じることが解消される。このため、光沢が要求される画像形成時においては、かかる温度差に起因したパターンからなる光沢むらが発生することが防止される。
【０１１２】
[他の実施形態]
伝熱装置７の伝熱ロール７０として、加圧ロール４４にその定着有効領域の幅よりも広い幅で接触するものを使用する場合は、図１０（ａ）に示すように、その伝熱ロール７０の内部にその回転軸方向に沿って複数本のヒートパイプ７６を取り付けた構造にすることができる。この場合は、伝熱ロール７０の軸方向における温度分布にむらが発生しても、ヒートパイプ７６による熱の素早い移動作用によりその温度分布むらが低減される。これは、次に説明する定着むらの発生を防止するのに有効となる。
【０１１３】
すなわち、図１０（ｂ）に示すように、伝熱ロール７０が用紙搬送装置６の複数の（分割）搬送無端ベルト６２Ａ〜Ｃに接触して回転する場合には、そのベルトと接触する部分７０ａとそれに接触しない部分７０ｂとの間で温度差が発生する可能性がある（接触部分７０ａの温度が非接触部分７０ｂの温度よりも低い状態になる）。そして、その伝熱ロール７０における温度分布のむらが、その接触相手である加圧ロール４４の表面温度の状態にも影響を与え、加圧ロール４４にも同様の温度分布むらが発生することとなり、そのむらに起因した定着むらを誘発させるおそれがある。この点、上記したように伝熱ロール７０にヒートパイプ７６を取り付けた構造にすると、伝熱ロール７０における温度分布むらが低減されるので、その温度分布むらに起因した定着むらの発生を防止することが可能になる。
【０１１４】
定着装置４として、図１１に示すように、その加圧ロール４４を冷却する冷却装置４９（例えば送風ファン４９ａと送風冷却用ダクト４９ｂを組み合わせた装置）を併設したものを使用する場合は、その冷却装置４９による加圧ロール４４の冷却動作について、伝熱装置７による用紙搬送装置６の搬送無端ベルト６２の加熱を行っている時期は行わないように構成する。図中の点線矢印は、冷却時の送風の流れを示している。
【０１１５】
実施形態１〜６では、定着装置４として、加熱ロール４３と加圧ロール４４を接触させて回転させる形式のものを例示したが、加熱側及び加圧側の一方がロール形態の定着回転体でその他方がベルト形態の定着回転体を組み合わせた方式の定着装置を適用することも可能である。また、加圧側（加圧ロール、加圧ベルトなど）にも加熱手段を配置して加熱するように構成してもよい。
【０１１６】
また、実施形態１〜６では、用紙搬送装置６として、吸引吸着式の複数の搬送無端ベルト６２を用いて構成されるものを例示したが、用紙搬送方向Ａとほぼ直交する方向に回転軸をもつ分割ロール（回転軸に複数のロールが間隔をあけて配置されたもの）を用いて構成されるものを使用してもよい。
【０１１７】
この他にも、例えば、軸方向に分割されていない非分割（全域型）の搬送ロールを用いて構成されるものを使用してもよい。この場合においても、その非分割の搬送ロールが定着後の用紙９などの温度よりも低い温度状態にあると、例えば、定着後の用紙９がそのサイズの違いでその非分割の搬送ロールに接触する領域又は時間が違う場合や、定着後の用紙９がその非分割の搬送ロールに均一（均等）に接触しない場合に、その接触状態の違いに応じた温度差が生じ、その温度差に起因した光沢むらが発生するおそれがあるため、その分割の搬送ロールを伝熱装置７で加熱することは有効となる。
【０１１８】
また、実施形態１〜６では、伝熱装置７として、１つの伝熱ロール７０又は伝熱ベルト７１を用いて構成されるものを例示したが、複数の伝熱ロール７０又は伝熱ベルト７１を用いて構成されるものを適用することもできる。この場合、その伝熱ロール７０又は伝熱ベルト７１の数は、回転方向の統一（整合）の観点から奇数となる。伝熱ロール７０については、中空構造の円筒状のもの以外の形態（例えば円柱形状）のロールとしても差し支えない。
【０１１９】
実施形態２において伝熱ベルト７１を用いて構成される伝熱装置７を例示したが、その伝熱ベルト７１を、例えば実施形態４において説明したように、加圧ロール４４及び搬送無端ベルト６２の一方又はその双方に対して接離させるように設けるよう構成することも可能である。
【０１２０】
実施形態６において非接触式の伝熱板７５を用いて構成される伝熱装置７を例示したが、その伝熱板７５の一方の端部を加圧ロール４４又は搬送無端ベルト６２のいずれかに接触させた状態で配置するように構成してもよい。また、伝熱装置７は、加熱ランプ（加熱手段）により間接的に（加熱ロール４３を介して）加熱される加圧ロール４４でなく、その加熱手段により直接的に加熱される加熱ロール４３で発生する熱を用紙搬送装置６の搬送部材に伝えるように構成してもよい。
【０１２１】
さらに、実施形態１〜６では、冷却装置５として、冷却用ベルト装置５２と用紙搬送ベルト装置５３とで構成されるものを例示したが、これに限定されない。例えば、その冷却方式について他の方式を採用してもよい。また、用紙搬送ベルト装置５３に代えて、複数のロールを使用した搬送ロール装置を適用してもよい。
【０１２２】
この他にも、画像形成装置１としては、中間転写方式を利用する作像装置２を使用するものを例示したが、中間転写方式を利用しない作像装置を使用する画像形成装置であってもよい。また、定着システム３は、画像形成装置の筐体の内部に配置して使用するものについて例示したが、これに限定されず、例えば画像形成装置の筐体とは別の筐体に配置して構成されるものでも構わない。
【図面の簡単な説明】
【０１２３】
【図１】実施形態１等に係る画像形成装置（定着システムを含む）の全体を示す概略説明図である。
【図２】実施形態１に係る定着システムの要部を示す概略説明図である。
【図３】図２に示す定着システムの要部の概略平面図である。
【図４】画像形成装置の動作時間に対する用紙搬送装置の搬送無端ベルトの表面温度の測定結果と光沢むらの発生する上限温度を示すグラフ図である。
【図５】実施形態２に係る定着システムの要部を示す概略説明図である。
【図６】実施形態３に係る定着システムの要部を示す概略説明図である。
【図７】実施形態４に係る定着システムの要部を示す概略説明図である。
【図８】実施形態５に係る定着システムの要部を示す概略説明図である。
【図９】実施形態６に係る定着システムの要部を示す概略説明図である。
【図１０】（ａ）は伝熱ロールの他の構成例を示す概略断面図、（ｂ）は伝熱ロールにおける温度分布むらを示す説明図である。
【図１１】加圧ロールを冷却する定着装置を有する定着システムの要部を示す概略説明図である。
【符号の説明】
【０１２４】
１…画像形成装置、２…作像装置、３…定着システム、４…定着装置、５…冷却装置、６…伝熱装置、９…用紙、１９…システム制御装置、４３…加熱ロール（定着回転体）、４４…加圧ロール（定着回転体）、６２Ａ〜Ｃ…搬送無端ベルト（搬送部材、回転搬送部材）、６５…吸引装置（吸引手段）、７０…伝熱ロール（熱伝導部材、回転体、中空構造のロール）、７１…伝熱ベルト（熱伝導部材、回転体、無端ベルト）、７３…温度センサ（温度検出手段）、７５…伝熱板（熱伝導部材）、７６…ヒートパイプ（熱伝導部材）、Ａ…用紙の搬送方向。
【図１】
2010014804.tif 000003
【図２】
2010014804.tif 000004
【図３】
2010014804.tif 000005
【図４】
2010014804.tif 000006
【図５】
2010014804.tif 000007
【図６】
2010014804.tif 000008
【図７】
2010014804.tif 000009
【図８】
2010014804.tif 000010
【図９】
2010014804.tif 000011
【図１０】
2010014804.tif 000012
【図１１】
2010014804.tif 000013